(57)【要約】【課題】リレーボックスに取り付けたリレー等の電気部品の防水を図ると共に、リレーより生じる熱の放熱効果を高める。【解決手段】ポリプロピレン製のケース内部に大型リレーであるパワーミニＩＳＯリレーと小型リレーであるマイクロＩＳＯリレーを収容し、該ケースに被せるカバーにパワーミニＩＳＯリレーの本体上部が突出する開口を設け、該開口の回りに導電性ゴムからなるゴムパッキンを取り付けて上記突出したリレーの本体上部と開口との間をシールしている。【選択図】  図３
2004187367.tif 000002
【特許請求の範囲】
【請求項１】
ケース内部に小型リレーと大型リレーとを収容し、該ケースに被せるカバーに上記大型リレーの本体上部が突出する開口を設け、該開口の回りにゴムパッキンを取り付けて上記突出したリレーの本体上部と開口との間をシールしていることを特徴とするリレーボックス。
【請求項２】
上記大型リレーはパワーミニＩＳＯリレー、小型リレーはマイクロＩＳＯリレーであって、該大型リレーの本体は上記小型リレーの約２倍であり、かつ、上記ゴムパッキンを導電性ゴムより成形して、ポリプロピレン製の上記ケースおよびカバーから伝わる熱を放熱できる構成としている請求項１に記載のリレーボックス。
【発明の詳細な説明】
【０００１】
【発明が属する技術分野】
本発明は、リレーボックスに関し、詳しくは、リレーボックスに取り付けたリレー等の電気部品の防水を図ると共に、リレーより生じる熱の放熱効果を高めるものである。
【０００２】
【従来の技術】
従来、飛水領域であるエンジンルームに搭載するリレーボックスにおいて、図５に示すように、リレーボックス１のケース本体１ａ上面に取り付けたリレー２やヒューズ３等の電気部品の防水を図るため、ケース本体１ａの上面にアッパーカバー１ｂを被せている。
しかしながら、リレーボックス１をアッパーカバー１ｂを被せて密閉すると、発熱量が大きな大型リレーが収容されていると、リレーボックス内に熱がこもり、加熱状態となって、リレー２やヒューズ３等の電気部品に悪影響を与える問題がある。
【０００３】
上記問題に対して、実開平４−８８３１７号において、図６に示す電気接続箱４が提供されている。この電気接続箱４は、ケース本体４ａの上面に被せるアッパーカバー４ｂに、ケース本体４ａに取り付けたリレー２に対向する位置に開口４ｃを設けると共に、リレー２には、リレー２の外周に枠状の防水パッキン５を取り付け、アッパーカバー４ｂをケース本体４ａに被せる際に、開口４ｃの縁部を防水パッキン５に押さえつけている。これにより、本体ケース４ａに取り付けたリレー２等の電気部品の防水を図ると共に、リレー２の上部をアッパーカバー４ｂの開口４ｃから外部に露出させて、放熱効果を高めている。
【０００４】
また、特開２０００−５９９５３号において、図７に示す、電気接続箱６が提供されている。この電気接続箱６は、ケース本体６ａの上面に被せるアッパーカバー６ｂに、ケース本体６ａに取り付けたリレー２に対向する位置に開口６ｃを設けると共に、リレー２には、リレー２の外面を覆うリレーキャップ７を被せ、アッパーカバー６ｂをケース本体６ａに被せる際に、開口６ｃの縁部とリレーキャップ７の下端に設けた係止溝とを嵌合している。これにより、本体ケース６ａに取り付けたリレー２等の電気部品の防水を図ると共に、リレー２の上部をアッパーカバー６ｂの開口６ｃから外部に突出させて、放熱効果を高めている。
【０００５】
【特許文献１】
実開平４−８８３１７号公報
【０００６】
【特許文献２】
特開２０００−５９９５３号公報
【０００７】
【発明が解決しようとする課題】
しかしながら、実開平４−８８３１７号において提供されている電気接続箱４では、リレー２に取り付ける防水パッキン５の位置決めが難しいため、作業性が悪く、防水パッキン５が位置ズレすると、リレー２等の電気部品の防水が図れないという問題がある。
【０００８】
また、特開２０００−５９９５３号において提供されている電気接続箱６であると、リレー２にリレーキャップ７を被せているので、リレー２をアッパーカバー６ｂの開口６ｃから直接外部に露出することができず、十分な放熱効果を得ることができないという問題がある。
【０００９】
本発明は上記問題に鑑みてなされたものであり、リレーボックスに取り付けたリレー等の電気部品の防水を図ると共に、リレーより生じる熱の放熱効果を高めることを課題としている。
【００１０】
【課題を解決するための手段】
上記課題を解決するため、本発明は、ケース内部に小型リレーと大型リレーとを収容し、該ケースに被せるカバーに上記大型リレーの本体上部が突出する開口を設け、該開口の回りにゴムパッキンを取り付けて上記突出したリレーの本体上部と開口との間をシールしていることを特徴とするリレーボックスを提供している。
【００１１】
上記構成とすると、発熱量の大きな大型リレーの上部をカバーの外部に突出させるために、該大型リレーから生じる熱を効率よく放熱でき、ケース内部の昇温加熱が抑制出来る。かつ、このカバーに設けた開口にゴムパッキンを取り付けて、上記大型リレーの外周全周に密着させているので、この開口よりケース内部に浸水が生じることが防止でき、ケース内部に収容したリレー等の電気部品の防水を図ることができる。
【００１２】
上記大型リレーはパワーミニＩＳＯリレー、小型リレーはマイクロＩＳＯリレーであって、該大型リレーの本体は上記小型リレーの約２倍であり、かつ、上記ゴムパッキンを導電性ゴムより成形して、ポリプロピレン製の上記ケースおよびカバーから伝わる熱を放熱できる構成としていることが好ましい。
【００１３】
上記構成とすると、ケースおよびカバーを形成するポリプロピレンよりも体積抵抗率の低い導電性ゴムによりゴムパッキンを成形しているので、リレーボックス内の熱を外部に放出しやすくなり、かつ、該ゴムパッキンが密着するカバーの熱、さらに、該カバーに伝わるケースの熱をゴムパッキンを介して放熱することができ、リレーケース内部の過熱をより効果的に抑制できる。
【００１４】
【発明の実施の形態】
以下、本発明の実施の形態を図面を参照して説明する。
図１乃至図３は、本発明の実施形態を示し、リレーボックス１０は、ポリプロピレン製のケース１１、カバー１２、ロアケース１３とからなる。
【００１５】
図１に示すように、ケース１１は略長方形状の周壁１１ａの内面より大型リレー収容部１４、小型リレー収容部１５、ヒューズ収容部１６を突設している。大型リレー収容部１４には、大型リレーであるパワーミニＩＳＯリレー２０を収容すると共に、小型リレー収容部１５には、小型リレーであるマイクロＩＳＯリレー２１を収容し、ヒューズ収容部１６にはヒューズ２２を収容している。また、ケース１１の外面に、カバー１２のロック枠１２ａに挿入係止するロック爪１１ｂを突設している。
【００１６】
図２に示すように、カバー１２は、ケース１１に収容する大型リレーのパワーミニＩＳＯリレー２０に対向する位置に開口１７を設けている。開口１７の周縁を断面コ形状として、ゴムパッキン１８用の挟持部１７ａとしている。この挟持部１７ａにより挟持するゴムパッキン１８は導電性ゴムからなり、中央位置に大型リレー突出用の開口１８ａを設けた枠状としている。この開口１８ａの一辺の長さｔ１は、対応するパワーミニＩＳＯリレー２０の一辺の長さｔ２よりも若干短くし、カバー１２をケース１１に取り付けたときに、パワーミニＩＳＯリレー２０の外周全周をゴムパッキン１８に密着させて、シールしている。
ゴムパッキン１８は、その外周縁をカバー１２の挟持部１７ａで挟み込んで、カバー１２の開口１７内に挟持している。
また、カバー１２の外面に、ケース１１のロック爪１１ｂを挿入係止するロック枠１２ａを設けている。
【００１７】
上記ケース１１の大型リレー収容部１４、小型リレー収容部１５、ヒューズ収容部１６に、パワーミニＩＳＯリレー２０、マイクロＩＳＯリレー２１、ヒューズ２２の端子をそれぞれ差し込み接続した後に、カバー１２を上方からケース１１に被せ、カバー１２のロック枠１２ａにケース１１のロック爪１１ｂを挿入係止して、ケース１１とカバー１２とをロック結合している。このとき、カバー１２の開口１７からパワーミニＩＳＯリレー２０の本体上部を外部に露出させると共に、カバー１２の開口１７内に挟持しているゴムパッキン１８をパワーミニＩＳＯリレー２０の外周全周に密着させて、パワーミニＩＳＯリレー２０の本体上部と開口１７との間をシールしている。なお、小型リレーのマイクロＩＳＯリレー２１は発熱量が小さいため、リレーボックス１０の外部に露出させず、カバー１２内に収容している。
【００１８】
上記構成とすると、カバー１２に設けた開口１７から大型リレーであるパワーミニＩＳＯリレー２０の本体上部を露出させながら、開口１７に取り付けたゴムパッキン１８をパワーミニＩＳＯリレー２０の外周全周に密着させているので、ケース１１内部に収容したパワーミニＩＳＯリレー２０、マイクロＩＳＯリレー２１、ヒューズ２２等の電気部品の防水を図ることができると共に、パワーミニＩＳＯリレー２０から生じる熱を効率的に放熱することができる。
また、ケース１１およびカバー１２を形成するポリプロピレンよりも体積抵抗率の低い導電性ゴムによりゴムパッキン１８を成形しているので、リレーボックス１０内の熱を外部に放出しやすくなり、パワーミニＩＳＯリレー２０から生じる熱だけでなく、マイクロＩＳＯリレー２１から生じてリレーボックス１０内に蓄積される熱も効率的に放熱することができ、さらに放熱効果を高めることができる。かつ、ゴムパッキン１８にはカバー１２、該カバー１２を介してケース１１の熱が伝えられ、この熱も放熱されるため、リレーボックス内部の過熱を抑制できる。
さらに、大型リレーは小型リレーと比較して搭載個数が少ないため、各大型リレー毎に開口を設けてゴムパッキンを取り付けても、作業工数はさほど増加しない。
【００１９】
図４は、本発明の実施形態の変形例を示し、カバー１２’はケース１１に収容するパワーミニＩＳＯリレー２０の上面全体に亙る開口１７’を設けている。開口１７’の挟持部１７ａ’に挟持するゴムパッキン１８’は一体とし、複数のパワーミニＩＳＯリレー２０に対向する位置にそれぞれ開口１８ａ’を設けている。即ち、複数のパワーミニＩＳＯリレー２０の本体上部とカバー１２’の開口１７’とを１つのゴムパッキン１８’によりシールしている。
なお、他の構成は上記実施形態と同様のため説明を省略する。
【００２０】
上記構成とすると、導電性ゴムからなるゴムパッキン１８’の面積が増加するので、カバーとの接触面積が増加して、より放熱効果を高めることができる。かつ、大型リレーが多数個の場合に、それら大型リレーに１個づつゴムパッキンを取り付ける必要はなくなる。
【００２１】
【発明の効果】
以上の説明より明らかなように、本発明によれば、カバーに設けた開口から発熱量の大きな大型リレーの本体上部を露出させながら、開口に取り付けたゴムパッキンを大型リレーの外周全周に密着させているので、大型リレーから発生する熱を外部に放熱してケース内部の過熱を抑制できると共にこの開口からの浸水も防止できる。
【００２２】
上記大型リレーをパワーミニＩＳＯリレー、小型リレーをマイクロＩＳＯリレーとすると、パワーミニＩＳＯリレーはマイクロＩＳＯリレーよりもかなり多くの熱を発生させるので、パワーミニＩＳＯリレーをカバー外に露出して放熱するだけで、十分な放熱効果を得ることができる。
また、上記ゴムパッキンを導電性ゴムより成形すると、ケースおよびカバーを形成するポリプロピレンよりも体積抵抗率が低いので、リレーボックス内の熱を外部に放出しやすくなり、さらに放熱効果を高めることができる。
【図面の簡単な説明】
【図１】本発明の実施形態のケースを示す平面図である。
【図２】本発明の実施形態のカバーを示し、（Ａ）は斜視図、（Ｂ）はＩ−Ｉ線断面図である。
【図３】リレーボックスの概略断面図である。
【図４】実施形態の変形例のカバー示す平面図である。
【図５】従来例を示す図面である。
【図６】他の従来例を示す図面である。
【図７】さらに他の従来例を示す図面である。
【符号の説明】
１０  リレーボックス
１１  ケース
１２  カバー
１３  ロアカバー
１４  大型リレー収容部
１５  小型リレー収容部
１６  ヒューズ収容部
１７  開口
１７ａ  挟持部
１８  ゴムパッキン
１８ａ  開口
２０  パワーミニＩＳＯリレー
２１  マイクロＩＳＯリレー
２２  ヒューズ
【図１】
2004187367.tif 000003
【図２】
2004187367.tif 000004
【図３】
2004187367.tif 000005
【図４】
2004187367.tif 000006
【図５】
2004187367.tif 000007
【図６】
2004187367.tif 000008
【図７】
2004187367.tif 000009